Podtech/llm-jp-corpus-v4-ja_patent huggingface dataset:
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
複数の可動光トラップを形成する方法であって、
集光されたエネルギービームを発生し、
前記集光されたエネルギービームを、可変光学表面を有する位相パターニング光学素子に導いて複数のビームレットを形成し、
前記ビームレットを前記位相パターニング光学素子で収束させ、
前記ビームレットを単一のトランスファーレンズに通して、フォーカスレンズの後ろの開口部で前記ビームレットを重ね、
前記フォーカスレンズから発する前記ビームレットを収束させて複数の光トラップを形成することを包含する方法。
【請求項２】
前記複数のビームレットは前記位相パターニング光学素子から発しており、各ビームレットは位相プロファイルを有する請求項１に記載の方法。
【請求項３】
前記方法は、前記光学表面を変えることによって前記位相パターニング光学素子から発する少なくとも一つのビームレットの収束を変更して、少なくとも一つの光トラップの配置を変えることをさらに包含する請求項１から２いずれかに記載の方法。
【請求項４】
前記方法は、光ピンセット、オプティカルボルテックス、オプティカルボトル、オプティカルローテータ、および光ケージから選択される光トラップの２つ以上の異なる種類を形成することをさらに包含する請求項１から３いずれかに記載の方法。
【請求項５】
前記方法は、前記位相パターニング光学素子で、前記ビームレットのうちの少なくとも一つの前記位相プロファイルを変化させることをさらに包含する請求項１から４いずれかに記載の方法。
【請求項６】
前記フォーカスレンズの後ろの開口部で前記ビームレットを重ねる前に、前記位相パターニング光学素子から発する前記ビームレットを一つのグループとして可動ミラーで操縦することをさらに包含する請求項１から５いずれかに記載の方法。
【請求項７】
前記集光されたエネルギービームは電磁波エネルギーである請求項１から６いずれかに記載の方法。
【請求項８】
前記集光されたエネルギービームは集光された光ビームである請求項１から７いずれかに記載の方法。
【請求項９】
少なくとも２つの光トラップを生成する装置であって、
集光された光ビームを受け取り、それを、それぞれが位相プロファイルを有する少なくとも２つのビームレットに回折する位相パターニング光学素子と、
前記位相パターニング光学素子から発する各ビームレットを前記位相パターニング光学素子と単一のトランスファーレンズとの間の位置で収束させる、前記位相パターニング光学素子内に変換された仮想レンズと、
前記位相パターニング光学素子から発する前記ビームレットを導いてフォーカスレンズの後ろの開口部で前記ビームレットを重ねる前記単一のトランスファーレンズと、
前記トランスファーレンズから発する各ビームレットを収束させて前記光トラップを形成する前記フォーカスレンズと、
前記フォーカスレンズの後ろの開口部で前記ビームレットを重ねる、前記位相パターニング光学素子と前記フォーカスレンズとの間の単一のトランスファーレンズと
を備えている装置。
【請求項１０】
前記単一のトランスファーレンズは可動である請求項９に記載の装置。
【請求項１１】
前記位相パターニング光学素子は静的な表面を有している請求項９若しくは１０に記載の装置。
【請求項１２】
前記静的な表面は、前記静的な表面の異なる部分を前記光ビームを受けるように並べるために再配置可能である請求項１１に記載の装置。
【請求項１３】
前記静的な表面は２つ以上の不連続な、不均質の領域からなる請求項１１若しくは１２に記載の装置。
【請求項１４】
前記静的な表面は実質的に連続的に変化している請求項１１若しくは１２に記載の装置。
【請求項１５】
前記位相パターニング光学素子は、格子、回折格子、反射格子、透過格子、ホログラム、ステンシル、光整形ホログラフィックフィルタ、多色ホログラム、レンズ、ミラー、プリズム、波長板およびホログラムからなる群の少なくとも一つから選択されている請求項９から１４のいずれかに記載の装置。
【請求項１６】
前記位相パターニング光学素子は動的である請求項９から１５のいずれかに記載の装置。
【請求項１７】
前記変換された仮想レンズを選択的に変えることは、それから発するビームレットの数を変化させる請求項１６に記載の装置。
【請求項１８】
前記変換された仮想レンズを選択的に変えることは、それから発する前記ビームレットのうちの少なくとも一つの収束位置を変化させる請求項１６若しくは１７に記載の装置。
【請求項１９】
前記位相パターニング光学素子を選択的に変えることは、それから発する前記ビームレットのうちの少なくとも一つの前記位相プロファイルを変化させる請求項１６から１８のいずれかに記載の装置。
【請求項２０】
微小粒子を操作するための複数の光トラップを生成するシステムであって、
複数の微小粒子と、
集光された光ビームを生成する光源と、
集光された光ビームと、
前記集光された光ビームを受け取って、それを、それぞれが位相プロファイルを有する少なくとも２つのビームレットに回折する位相パターニング光学素子と、
前記位相パターニング光学素子から発する各ビームレットを前記位相パターニング光学素子と単一のトランスファーレンズとの間の位置で収束させる、前記位相パターニング光学素子内に変換された仮想レンズと、
前記位相パターニング光学素子と、各ビームレットが通過するフォーカスレンズとの間に配置された前記単一のトランスファーレンズであって、各ビームレットは前記フォーカスレンズの後ろの開口部で重ねられるような単一のトランスファーレンズと、
それぞれが複数の微小粒子のうちの一つを操作することが可能である少なくとも２つの光トラップを形成するように、前記トランスファーレンズから発する各ビームレットを収束させる前記フォーカスレンズと
を備えているシステム。
【請求項２１】
前記位相パターニング光学素子は、コンピュータで生成された可変回折パターン、可変位相シフト材料、可変液晶位相シフトアレイ、マイクロミラーアレイ、ピストンモードマイクロミラーアレイ、空間光変調器、電子光学偏向器、音響光学変調器、変形可能ミラーおよび反射ＭＥＭＳアレイからなる群のうちの少なくとも一つから選択されている請求項２０に記載のシステム。
【請求項２２】
前記位相パターニング光学素子を選択的に変えるためのコンピュータをさらに備えている請求項２０若しくは２１に記載のシステム。
【請求項２３】
前記複数の微小粒子の少なくともいくつかは、生物学的な材料である請求項２０から２２のいずれかに記載のシステム。
【請求項２４】
前記ビームレットを前記フォーカスレンズの後ろの開口部で重ねる前に、前記位相パターニング光学素子から発する前記ビームレットを一つのグループとして操縦するための可動ミラーをさらに備えている請求項２０から２２のいずれかに記載のシステム。
【請求項２５】
前記単一のレンズから下流で前記フォーカスレンズより前に望遠鏡レンズ系をさらに備えている請求項２０から２４のいずれかに記載のシステム。
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
液体吹付け装置と共に使用する液体供給アセンブリであって、
堅い高分子材料からなり、上端および底端を有する側壁並びに該側壁の該底端に沿って延びる底壁を備える容器であって、空洞を内部に画定する内面を有し、該側壁の該上端が該空洞への開口を画定し、該側壁に沿った該内面の一部が、円錐台の形状を有して該側壁の該底端から該上端に向かって直径が増大するようになっている容器と、
前記容器の前記空洞の内部に配置され、視覚的に透明な材料からなる可撓性ライナーであって、前記容器の前記内面に形状が一致する外面、空洞を内部に画定する内面、および前記側壁の前記上端に沿って配置されて該可撓性ライナーの該空洞への開口を画定する環状へりを有する可撓性ライナーと、
前記容器の前記側壁と前記可撓性ライナーとの間に配置され、弾性的に可撓性の高分子材料からなる表示シートであって、前記側壁に沿った前記容器の前記内面に形状が一致し、複数の様々な液体を前記可撓性ライナーの前記空洞に順次に注入してそれら液体間に所定の比を達成できるようにする複数のレベルを表示する印を有する表示シートと、
を具備するアセンブリ。
【請求項２】
前記容器が、前記側壁と前記底壁との間にくぼんだ内面を有する環状部分をさらに備え、前記表示シートが、該表示シート上の前記印を前記可撓性ライナーの前記内面に正確に整列させるために、前記環状部分と前記側壁との間の接合部で支持される縁部を有する、請求項１に記載のアセンブリ。
【請求項３】
前記容器および前記表示シートが視覚的に透明であり、前記表示シートは、前記印を外側へ向けて前記容器の前記側壁と前記可撓性ライナーとの間に位置付けられ、それにより、前記印と、液体を前記可撓性ライナーの前記空洞に注入できる前記複数のレベルとを、前記容器の前記側壁を通して見るようになっている、請求項１に記載のアセンブリ。
【請求項４】
前記表示シートは、前記印を内側へ向けて前記容器の前記側壁と前記可撓性ライナーとの間に位置付けられ、それにより、前記印と、液体を前記可撓性ライナーの前記空洞に注入できる前記複数のレベルとを、該可撓性ライナーの前記空洞への前記開口から覗き見るようになっている、請求項１に記載のアセンブリ。
【請求項５】
複数の透明な液体を前記可撓性ライナーの前記空洞に注入するときに、液体と該可撓性ライナーを作製する高分子材料との屈折率により、該可撓性ライナー内の液体のレベルよりも下の前記表示シートの前記印が、該可撓性ライナーとライナー／表示シート間の空気層との間の界面からの光の全内部反射に起因して、液面に対する約６０度未満の入射角において視覚的に見えなくなるように構成される、請求項４に記載のアセンブリ。
【請求項６】
貫通開口を有して液体吹付け装置の注入部と係合するようになっている中央部分と、前記容器の前記上端に隣接して前記可撓性ライナーの内部に係合するようになっている周辺部を有する横断部分と、前記可撓性ライナーを該周辺部の周りに取り付ける手段とを備えるアダプタアセンブリをさらに具備する、請求項１に記載のアセンブリ。
【請求項７】
液体吹付け装置用の混合成分液体を供給する方法であって、
堅い高分子材料からなり、上端および底端を有する側壁並びに該側壁の該底端に沿って延びる底壁を備える容器であって、空洞を内部に画定する内面を有し、該側壁の該上端が該空洞への開口を画定し、該側壁に沿った該内面の一部が、円錐台の形状を有して該側壁の該底端から該上端に向かって直径が増大するようになっている容器を用意するステップと、
可撓性を有する視覚的に透明な材料からなるライナーであって、前記容器の前記内面に形状が一致する外面、空洞を内部に画定する内面、および該外面が前記容器の前記内面に沿っているときに該容器の前記側壁の前記上端に沿って配置されるようになっている環状へりを有し、該環状へりが該ライナーの該空洞への開口を画定するライナーを用意するステップと、
前記容器の前記内面に形状が一致するようになっている弾性的に可撓性の高分子材料からなる表示シートであって、該表示シートを前記容器の前記内面に沿って配置したときに、複数の様々な液体を前記ライナーの前記空洞に順次に注入してそれら液体間の所定の比を達成できるようにする複数のレベルを表示する印を有する表示シートを用意するステップと、
前記表示シートを前記容器の前記側壁に沿って前記空洞内に位置付けるステップと、
前記表示シートが前記ライナーと前記容器の前記側壁との間にあるように、該ライナーを該容器の前記空洞内に位置付けるステップと、
前記表示シート上の印によって表示されるレベルまで、複数の成分液体を前記ライナーの前記空洞に順次に注入して、それら成分液体間の所定の比を達成するようにするステップと、
を含む方法。
【請求項８】
前記容器が、前記側壁と前記底壁との間に、くぼんだ内面を有する環状部分をさらに備え、前記表示シートが、前記容器の前記内面の全周囲よりも小さく広がるような長さを有し、前記表示シートを位置付ける前記ステップが前記ライナーを位置付ける前記ステップに先立って行われて、該表示シートが前記容器の前記側壁の前記内面に沿って任意位置まで動くようにされる、請求項８に記載の方法であって、前記表示シートを位置付ける前記ステップおよび前記ライナーを位置付ける前記ステップの後に、前記容器の前記底壁を表面上で軽くたたくステップであって、該表示シートの下縁を前記環状部分と前記側壁との間の接合部に位置付けて支持して、該表示シート上の前記印を前記ライナーの前記内面に正確に整列させるステップをさらに含む、請求項７に記載の方法。
【請求項９】
前記容器の前記側壁および前記表示シートが視覚的に透明であり、前記表示シートを位置付ける前記ステップにおいて、該表示シートを前記容器の前記側壁と前記ライナーとの間に前記印を外側へ向けて位置付け、それにより、順次注入する前記ステップにおいて、前記印と、液体を前記ライナーの前記空洞に注入できる前記複数のレベルとを、前記容器の前記側壁を通して見るようにする、請求項７に記載の方法。
【請求項１０】
前記表示シートを位置付ける前記ステップにおいて、前記表示シートを前記容器の前記側壁と前記ライナーとの間に前記印を内側へ向けて位置付け、それにより、順次注入する前記ステップにおいて、前記印と、液体を前記ライナーの前記空洞に注入できる前記複数のレベルとを、該ライナーの前記空洞への前記開口から覗き見るようにする、請求項７に記載の方法。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
フィルター（１）がプレコーティング段階でフィルター助剤でプレコートされていて、その後の濾過段階で、供給物がフィルター助剤を加えながら濾過され、その場合、該フィルター助剤がプレコーティング段階及び濾過段階において該フィルター（１）上で濾過ケークを形成し、且つ
該プレコーティング段階において、第１のフィルター助剤が堆積され、その場合、再生フィルター助剤の量が任意に＜３０重量％含み、５０重量％を超える再生フィルター助剤から成る第２のフィルター助剤が、濾過段階において非濾液に対して加えられ、その場合、該再生フィルター助剤は、全ｐＨスペクトルの範囲にわたって所定のｐＨの媒質で処理されたことによって特徴付けられる、液体を特に生物学的液体を濾過する方法。
【請求項２】
該濾過段階において、再生フィルター助剤からほとんど完全に成るフィルター助剤が、加えられるという事実によって特徴付けられる請求項１記載の方法。
【請求項３】
珪藻土が、フィルター助剤として用いられるという事実によって特徴付けられる請求項１又は２記載の方法。
【請求項４】
珪藻土を有する又は有していないセルロース及び／又は真珠岩が、フィルター助剤として用いられるという事実によって特徴付けられる請求項１又は２記載の方法。
【請求項５】
シリカゲル及び／又はＰＶＰＰが、該フィルター助剤に対して加えられる請求項１ 〜 ４の一つに記載の方法。
【請求項６】
該方法が、該フィルター助剤が再生される再生段階を含む請求項１ 〜 ５の一つに記載の方法。
【請求項７】
該再生が、フィルター（１）で行なわれるという事実によって特徴付けられる請求項６記載の方法。
【請求項８】
該再生段階が、アルカリ溶液で該フィルター助剤を処理することを含むという事実によって特徴付けられる請求項６又は７記載の方法。 
【請求項９】
該アルカリ溶液が、濃度０．１ 〜 ２％の水酸化ナトリウム溶液であるという事実によって特徴付けられる請求項８記載の方法。
【請求項１０】
アルカリ溶液による該再生が、６０℃ 〜 ９０℃の温度で行なわれるという事実によって特徴付けられる請求項８又は９記載の方法。
【請求項１１】
該濾過ケークが、アルカリ溶液で処理される前に、熱水で洗浄されるという事実によって特徴付けられる請求項８ 〜 １０の一つに記載の方法。
【請求項１２】
該熱水が、４０℃ 〜 ９０℃の温度を有するという事実によって特徴付けられる請求項１１記載の方法。
【請求項１３】
アルカリ溶液による処理の後に、該アルカリ溶液が、熱水及び冷水で置換されるという事実によって特徴付けられる請求項８ 〜 １２の一つに記載の方法。
【請求項１４】
該フィルター助剤が、酸で処理されるという事実によって特徴付けられる請求項６ 〜 １３の一つに記載の方法。
【請求項１５】
該フィルター助剤が、硝酸で処理されるという事実によって特徴付けられる請求項１４記載の方法。
【請求項１６】
酸による該処理が、熱水及び冷水で該アルカリ溶液を置換した後に行なわれる請求項１４又は１５記載の方法。
【請求項１７】
該酸が冷水で置換され、次に、該フィルター助剤が該フィルター（１）から排出されるという事実によって特徴付けられる請求項１４ 〜 １６の一つに記載の方法。
【請求項１８】
該フィルター助剤が、該再生段階の終了時に再懸濁されるという事実によって特徴付けられる請求項６ 〜 １７の一つに記載の方法。
【請求項１９】
該方法が、タンニン含有液体を安定化させる方法と一緒に、特にＰＶＰＰと一緒に行なわれるという事実によって特徴付けられる請求項１ 〜 １８の一つに記載の方法。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
ナノ粒子を製造する方法であって、
ｉ）少なくとも１つの所定の物質の溶液を回転式表面反応装置の回転面へ供給するステップと、
ｉｉ）前記反応装置の前記回転面を回転させることによって、前記溶液を前記回転面上に、連続的に流れる薄膜として広げるステップと、
ｉｉｉ）マイクロ混合および均一核生成を行うことによって、前記薄膜内で前記溶液からナノ粒子を沈降または結晶化するステップと、
ｉｖ）前記回転面の周縁部から沈降または結晶化したナノ粒子を回収するステップと
を含む方法。
【請求項２】
回転式表面反応装置の回転面上で溶液からの沈降もしくは結晶化によって所定の形状の粒子を製造する方法であって、
ｉ）少なくとも１つの所定の物質の溶液を回転式表面反応装置の回転面へ供給するステップと、
ｉｉ）前記反応装置の前記回転面を回転させることによって、前記溶液を前記回転面上に、連続的に流れる薄膜として広げるステップと、
ｉｉｉ）マイクロ混合および均一核生成を行うことによって、前記薄膜内で前記溶液からナノ粒子を沈降または結晶化するステップと、
ｉｖ）前記回転面の周縁部から沈降または結晶化した粒子を回収するステップと
を含んでなり、このとき上記のステップｉｉｉ）での前記回転式表面反応装置の作動条件は、少なくとも第１および第２セットの作動条件から選択され、第１セットの作動条件は第１の所定の形状を有する粒子を生じさせ、そして第２セットの作動条件は第１とは相違する第２の所定の形状を有する粒子を生じさせる方法。
【請求項３】
回転式表面反応装置の回転面上の溶液からの沈降または結晶化によって中空粒子を製造する方法であって、
ｉ）少なくとも１つの所定の物質の溶液を回転式表面反応装置の回転面へ供給するステップと、
ｉｉ）前記反応装置の前記回転面を回転させることによって、前記溶液を前記回転面上に、連続的に流れる薄膜として広げるステップと、
ｉｉｉ）マイクロ混合および均一核生成を行うことによって、前記薄膜内で前記溶液から中空粒子を沈降または結晶化するステップと、
ｉｖ）前記回転面の周縁部から前記中空粒子を回収するステップと
を含む方法。
【請求項４】
前記溶液が過飽和溶液である請求項１、２または３に記載の方法。
【請求項５】
前記溶液が、過飽和するように前記回転面上で加熱または冷却される請求項１、２または３に記載の方法。
【請求項６】
１μｍ未満の平均最大寸法を有するナノ粒子が前記回転面の周縁部から回収される請求項１〜５のいずれか一項に記載の方法。
【請求項７】
０．９μｍ未満の平均最大寸法を有するナノ粒子が前記回転面の周縁部から回収される請求項１〜６のいずれか一項に記載の方法。
【請求項８】
０．８μｍ未満の平均最大寸法を有するナノ粒子が前記回転面の周縁部から回収される請求項１〜７のいずれか一項に記載の方法。
【請求項９】
０．５μｍ未満の平均最大寸法を有するナノ粒子が前記回転面の周縁部から回収される請求項１〜８のいずれか一項に記載の方法。
【請求項１０】
少なくとも１μｍの平均最大寸法を有する粒子が前記回転面の周縁部から回収される、請求項２もしくは請求項３または請求項２もしくは請求項３に従属する請求項４〜９のいずれか一項に記載の方法。
【請求項１１】
少なくとも５μｍの平均最大寸法を有する粒子が前記回転面の周縁部から回収される、請求項２もしくは請求項３または請求項２もしくは請求項３に従属する請求項４〜９のいずれか一項に記載の方法。
【請求項１２】
少なくとも１０μｍの平均最大寸法を有する粒子が前記回転面の周縁部から回収される、請求項２もしくは請求項３または請求項２もしくは請求項３に従属する請求項４〜９のいずれか一項に記載の方法。
【請求項１３】
前記溶液が前記回転面の中心部分へ供給され、そしてナノ粒子もしくは粒子の均一核生成および沈降が前記回転面の中心部分を取り囲む環状領域において前記薄膜内で発生する請求項１〜１２のいずれか一項に記載の方法。
【請求項１４】
混和性希釈剤が前記環状領域の外側の領域で前記回転面へ供給される請求項１３に記載の方法。
【請求項１５】
少なくとも１つのコーティング添加剤が、沈降したナノ粒子もしくは粒子をコーティングできるように前記回転面に供給される請求項１〜１４のいずれか一項に記載の方法。
【請求項１６】
前記コーティング添加剤が界面活性剤、洗剤またはポリマーである請求項１５に記載の方法。
【請求項１７】
前記少なくとも１つのコーティング添加剤が前記溶液と一緒に前記回転面へ供給される請求項１５または１６に記載の方法。
【請求項１８】
前記少なくとも１つのコーティング添加剤が前記溶液とは別に前記回転面へ供給される請求項１５または１６に記載の方法。
【請求項１９】
少なくとも１つのコーティング添加剤が希釈剤と一緒に前記回転面へ供給される請求項１５〜１８のいずれか一項に記載の方法。
【請求項２０】
前記沈降が少なくとも部分的に無機反応化学の結果である請求項１〜１９のいずれか一項に記載の方法。
【請求項２１】
前記沈降が少なくとも部分的に有機的押し流しの結果である請求項１〜２０のいずれか一項に記載の方法。
【請求項２２】
前記沈降が少なくとも部分的に金属沈降の結果である請求項１〜２１のいずれか一項に記載の方法。
【請求項２３】
前記沈降が少なくとも部分的に前記回転面上の前記薄膜からの冷却および伝熱の結果である請求項１〜２２のいずれか一項に記載の方法。
【請求項２４】
前記沈降が少なくとも部分的に前記回転面上の前記薄膜の少なくとも一部の蒸発の結果である請求項１〜２３のいずれか一項に記載の方法。
【請求項２５】
追加の振動エネルギーが前記回転面上の前記薄膜へ、またはその周縁部から回収された生成物へ適用される請求項１〜２４のいずれか一項に記載の方法。
【請求項２６】
追加の振動エネルギーが超音波である請求項２５に記載の方法。
【請求項２７】
追加の電磁放射線が前記回転面上の前記薄膜へ、またはその周縁部から回収された生成物へ適用される請求項１〜２６のいずれか一項に記載の方法。
【請求項２８】
請求項１〜２７のいずれか一項の方法によって製造された粒子またはナノ粒子。
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
標的物質を粒子の形で調製する方法であって、(a)流体ビヒクル中の標的物質の溶液又は懸濁液（“標的溶液／懸濁液”）及び(b)該物質に対する圧縮流体貧溶媒、をそれぞれ別々の第一及び第二の流体導入手段を通して粒子形成容器に導入するステップ、及び該貧溶媒流体に該標的溶液／懸濁液からビヒクルを抽出させて、該標的物質の粒子を形成させるステップを含み、該貧溶媒流体は粒子形成容器に入るときに音速、近音速、又は超音速を有し、該貧溶媒と該標的溶液／懸濁液は粒子形成容器に異なる場所から入って、該第二の流体導入手段の（該貧溶媒の流れの方向で）下流で出会うことを特徴とする方法。
【請求項２】
該貧溶媒が超臨界又は近臨界流体であることを特徴とする請求項１に記載の方法。
【請求項３】
該貧溶媒流体は、粒子形成容器の上流で、該容器に入ったときのジュールトムソン（Joule-Thomson）冷却を補償するために十分な温度に加熱される、請求項１又は２記載の方法。
【請求項４】
該貧溶媒流体は、該粒子形成容器に入るときに0.8 から1.5までのマッハ数M（その実際の速度の音速に対する比）を有することを特徴とする請求項１乃至３のいずれか1項に記載の方法。
【請求項５】
該貧溶媒流体が該粒子形成容器に入るときの圧力低下が170から250 barまでであることを特徴とする請求項１乃至４のいずれか1項に記載の方法。
【請求項６】
該近音速、音速、又は超音速の貧溶媒の速度が、該貧溶媒を該粒子形成容器へ先細ノズルを通して単一の流れとして、その他の機械的、電気的、及び／又は磁気的な入力の助けなしに、導入することによって達成されることを特徴とする請求項１乃至５のいずれか1項に記載の方法。
【請求項７】
該貧溶媒流体が該粒子形成容器に入るときにマッハディスクが該貧溶媒中に発生し、それからの衝撃波が貧溶媒の流れの方向に伝播することを特徴とする請求項１乃至６のいずれか1項に記載の方法。
【請求項８】
該貧溶媒流体が超臨界二酸化炭素であり、そして、該粒子形成容器の上流の二酸化炭素の温度が少なくとも80℃であることを特徴とする請求項１乃至７のいずれか１項に記載の方法。
【請求項９】
該貧溶媒流体がビヒクルを抽出すると同時に該貧溶媒流体の機械的（運動）エネルギーが該標的溶液／懸濁液を分散させる作用をすることができるような仕方で流体が導入されることを特徴とする請求項１乃至８のいずれか1項に記載の方法。
【請求項１０】
該貧溶媒流体と該標的溶液／懸濁液が、該粒子形成容器への貧溶媒の進入点のすぐ下流で互いに接触することを特徴とする請求項１乃至９のいずれか1項に記載の方法。
【請求項１１】
該標的溶液／懸濁液が直接に該貧溶媒の流れに導入され、該標的溶液／懸濁液が該粒子形成容器に入る点で該貧溶媒と出会うことを特徴とする請求項１乃至１０のいずれか1項に記載の方法。
【請求項１２】
該第一の流体導入手段の出口が該第二の流体導入手段の出口の垂直下方に位置し、該貧溶媒流体が垂直下向き方向に該粒子形成容器中に流入することを特徴とする請求項１乃至１１のいずれか1項に記載の方法。
【請求項１３】
該標的溶液／懸濁液と該貧溶媒流体が出会う点で、それらの流れの軸の間の角度が70乃至110°であることを特徴とする請求項１乃至１２のいずれか1項に記載の方法。
【請求項１４】
標的物質を粒子の形で調製するのに用いる装置であって：  （ｉ）粒子形成容器；
（ii）該容器に、流体ビヒクル中の該標的物質の溶液又は懸濁液（“標的溶液／懸濁液”）を導入するための第一の流体導入手段；及び
（iii ）該粒子形成容器に圧縮貧溶媒流体を導入するための、第一のものとは別の、第二の流体導入手段；
を含み、該第一及び第二の流体導入手段は、使用時に、第一の手段を通して導入される標的溶液／懸濁液と第二の手段を通して導入される貧溶媒が異なる場所で該粒子形成容器に入り、第二の流体導入手段の（貧溶媒の流れの方向）すぐ下流で出会い、該第一の流体導入手段の出口は、使用時に、該第二の流体導入手段を出ていく貧溶媒流体の流れの内部に直接的に入るように位置していることを特徴とする装置。
【請求項１５】
該第二の流体導入手段は、該粒子形成容器への貧溶媒流体の進入点に狭い部分を設けていることを特徴とする請求項１４に記載の装置。
【請求項１６】
該第一の流体導入手段の出口は、使用時の貧溶媒流体の流れの方向で該第二の流体導入手段の出口の下流にあり、該2つの出口の間の間隔が該第二の流体導入手段の出口の直径の10乃至40倍であることを特徴とする請求項１４又は１５のいずれか１項に記載の装置。
【請求項１７】
該第一の流体導入手段の出口は、該第二の流体導入手段の出口より小さな断面積を有することを特徴とする請求項１４乃至１６のいずれか１項に記載の装置。
【請求項１８】
該第一の流体導入手段の出口の中心は、該第二の流体導入手段の中心長手軸と同一線上にあることを特徴とする請求項１４乃至１７のいずれか１項に記載の装置。
【請求項１９】
該第一及び第二の流体導入手段は、該標的溶液／懸濁液と該貧溶媒が出会う点でそれらの流れの軸の間の角度が70°乃至110°となるように配置されていることを特徴とする請求項１４乃至１８のいずれか１項に記載の装置。
【請求項２０】
該第一及び第二の流体導入手段は、該標的溶液／懸濁液と該貧溶媒が出会う点でそれぞれの流れの軸がほぼ直交することを特徴とする請求項１９に記載の装置。
【請求項２１】
圧縮流体の源及び／又は標的溶液又は懸濁液の源をさらに含む、請求項１４乃至２０のいずれか１項に記載の装置。
【請求項２２】
該粒子形成容器が粒子収集手段を含むことを特徴とする請求項１４乃至２１のいずれか１項に記載の装置。
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
基材および記録層を含む光学記録媒体であって、記録層が、式（Ｉ）
【化１】
2004534677.tif 000001
（式中、Ｒ1、Ｒ2、Ｒ3、Ｒ4、Ｒ5、Ｒ6、Ｒ7、Ｒ8、Ｒ9、Ｒ10、Ｒ11、Ｒ12およびＲ13は、それぞれ他から独立して、水素、Ｇ1、あるいは非置換であるか、１つ以上の同一または異なる置換基Ｇ1によって置換されたＣ1−Ｃ24アルキル、Ｃ2−Ｃ24アルケニル、Ｃ2−Ｃ24アルキニル、Ｃ3−Ｃ24シクロアルキル、Ｃ3−Ｃ24シクロアルケニル、Ｃ7−Ｃ24アラルキル、Ｃ6−Ｃ24アリール、Ｃ4−Ｃ12ヘテロアリールまたはＣ1−Ｃ12ヘテロシクロアルキルであり、
ここでＲ1とＲ2、Ｒ1とＲ13、Ｒ2とＲ3、Ｒ3とＲ4、Ｒ4とＲ5、Ｒ5とＲ6、Ｒ6とＲ7、Ｒ7とＲ8、Ｒ8とＲ9、Ｒ9とＲ10、Ｒ10とＲ11、Ｒ11とＲ12および／またはＲ12とＲ13は、相互に独立して、個別に二つ一組になって、あるいはそれらが、置換可能な部位を含有する場合、直接結合によって、または−ＣＨ2−、−Ｏ−、−Ｓ−、−ＮＨ−もしくは−ＮＣ1−Ｃ24アルキル架橋によって、式（Ｉ）に示される原子および結合とともに、五または六員、飽和、不飽和または芳香族の、非置換またはＧ1置換環が形成されるような方法で、結合し得、
Ｇ1は、任意の所望の置換基であり、
Ｘm-は、無機、有機または有機金属アニオンであり、
Ｙn+は、プロトンまたは金属、アンモニウムもしくはホスホニウムカチオンであり、そして
ｍおよびｎは、それぞれ他から独立して１〜５の数であり、ｐおよびｑは、それぞれ他から独立して０または０．２〜６の数であり、ｐおよびｑの相互に対する比は、ｍおよびｎ、そして適用可能ならばＧ1の数に応じて、式（Ｉ）において過剰な陽電荷または陰電荷がないようなものである）
の化合物を含む、光学記録媒体。
【請求項２】
Ｒ6が、
【化２】
2004534677.tif 000002
であり、
Ｒ29、Ｒ30およびＲ31が、それぞれ他から独立して、水素、ハロゲン、ＣＯＯＲ32、ＯＲ32またはＮＲ32Ｒ33であり、ここでＲ32およびＲ33はそれぞれ他から独立して、水素、あるいはそれぞれ非置換であるか、または１つもしくは２つのヒドロキシ置換基によって、またはメタロセニルもしくはアゾ金属錯体ラジカルによって置換され、中断されていないか、または１、２、３、４もしくは５個の酸素および／もしくはケイ素原子により中断されている、Ｃ1−Ｃ12アルキル、Ｃ2−Ｃ12アルケニル、Ｃ1−Ｃ12シクロアルキル、Ｃ2−Ｃ12シクロアルケニル、Ｃ6−Ｃ12アリールまたはＣ7−Ｃ13アラルキルである、請求項１記載の記録媒体。
【請求項３】
Ｒ1、Ｒ4、Ｒ5、Ｒ7、Ｒ8およびＲ11が、水素であり；Ｒ2、Ｒ3、Ｒ9、Ｒ10、Ｒ12およびＲ13が、それぞれ他から独立してメチル、エチルまたはＲ14であり、Ｒ2とＲ3、Ｒ9とＲ10、Ｒ12とＲ13および／またはＲ9とＲ10は直接結合、メチレン、−Ｏ−または−Ｎ（Ｃ1−Ｃ4アルキル）を介して二つ一組になって結合することが可能であり；Ｒ6が、水素、あるいはそれぞれ非置換であるか、またはハロゲン、−Ｏ-、−ＯＲ26、−ＣＮ、−ＮＲ26Ｒ27、−Ｎ+Ｒ26Ｒ27Ｒ28、−Ｎ（Ｒ26）ＣＯＲ27、−ＣＯＯ-、−ＣＯＯＲ26、−ＣＯＮＲ26Ｒ27、Ｒ14によって、もしくは−Ｎ（Ｒ26）ＣＯＲ27Ｒ28によって、モノ〜テトラ置換された、Ｃ1−Ｃ12アルキル、Ｃ6−Ｃ12アリールまたはＣ7−Ｃ13アラルキルであり、ここでＲ26、Ｒ27およびＲ28が、それぞれ他から独立してＣ1−Ｃ12アルキル、Ｃ6−Ｃ12アリールまたはＣ7−Ｃ13アラルキルである、請求項１または２記載の記録媒体。
【請求項４】
Ｒ6が、
【化３】
2004534677.tif 000003
またはＲ37であり、Ｒ34、Ｒ35およびＲ36は、それぞれ他から独立して水素またはＲ37であり、
Ｒ37が、中断されていないか、または１〜３個の酸素および／もしくはケイ素原子によって中断されており、そして非置換であるか、または１つもしくは２つのヒドロキシ置換基によって、またはメタロセニルもしくはアゾ金属錯体ラジカルによって置換されたアルキルである、請求項２または３記載の記録媒体。
【請求項５】
請求項１〜４のいずれか一項記載の記録媒体が使用される、情報の光学的記録、記憶および再生の方法。
【請求項６】
有機溶媒中の請求項１〜４のいずれか一項記載の式（Ｉ）の化合物の溶液が、ピットを持つ基材に塗布される、光学記録媒体の製造方法。
【請求項７】
Ｘm-が、フッ化物、臭化物、ヨウ化物、１／２炭酸塩、炭酸水素塩、硫酸Ｃ1−Ｃ4アルキル、１／２硫酸塩、硫酸水素塩、１／３リン酸塩、１／２リン酸水素塩、二水素リン酸塩、１／２Ｃ1−Ｃ4アルカンホスホン酸塩、Ｃ1−Ｃ4アルカンホスホン酸Ｃ1−Ｃ12アルキル塩、ホスフィン酸ジＣ1−Ｃ4アルキル塩、テトラフルオロホウ酸塩、ヘキサフルオロリン酸塩、ヘキサフルオロアンチモン酸塩、酢酸塩、トリフルオロ酢酸塩、ヘプタフルオロ酪酸塩、１／２シュウ酸塩、メタンスルホン酸塩、トリフルオロメタンスルホン酸塩、トシル酸塩、ベンゼンスルホン酸塩、ｐ−クロロベンゼンスルホン酸塩、ｐ−ニトロベンゼンスルホン酸塩；またはアルコラート、フェノラート、カルボン酸塩、スルホン酸塩もしくはホスホン酸塩、または陰荷電金属錯体である、請求項１記載の式（Ｉ）の化合物。
【請求項８】
光学記録媒体の製造における、請求項７記載の式（Ｉ）の化合物の使用。
【請求項９】
構造
【化６】
2004534677.tif 000004
の化合物が、Ｃ1〜Ｃ18カルボン酸の存在下で酸化される、請求項１記載の式（Ｉ）の化合物の調製方法。
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
プラスチックからブロー成形された中空体を製作するためのブロー成形機（１０）であって、変形可能なプラスチックから成るチューブ状のパリソンが、開かれたブロー成形型（１２）の割型間へ押し出され、次いで閉じられたブロー成形型内で中空体を完成させるために膨張され、この場合、中空体の膨張用に、吹込み空気が導管（１４）若しくは吹込み心棒（１６）を介して中空体に吹込み可能であり、ブロー成形型（１２）が閉じられた導管システム（１４）に組み込まれている形式のものにおいて、
導管システム（１４）が環状回路として形成されており、加工成形が行われた後に中空体を内部冷却するための冷却媒体としての吹込み空気を増大された圧力レベルで連続して循環案内するための圧縮器（２６）が設けられており、導管システム（１４）に、あらゆるプロセス状態において常に同一の規定された流れ方向を保証するための少なくとも１つの逆止弁（２２，３２，４６）が装備されており、しかも、閉じられた環状回路システム（１４）が、入口側にブロー成形型（１２）に吹込み空気を吹き込むための流入導管を有しており且つ出口側にブロー成形型（１２）から吹込み空気を放出するための流出導管を有していることを特徴とする、ブロー成形された中空体の製作装置。
【請求項２】
ブロー成形型（１２）若しくは中空体に吹込み空気を吹き込むための流入導管が、吹込みノズルとして働く吹込み心棒（１６）に接続されており、出口側の流出導管が、ブロー成形型（１２）若しくは中空体から吹込み空気を放出するために放出ノズルとして働く別の吹込み心棒（１８）に接続されている、請求項１記載のブロー成形機。
【請求項３】
導管システム（１４）が、単独の充填・放出開口しか有さない例えばキャニスタ等の特別な中空体用に、流入導管と流出導管とが相並んで又は同心的に１本の吹込み心棒内に配置された単独の吹込み心棒だけを有している、請求項１記載のブロー成形機。
【請求項４】
導管システム（１４）内に、循環案内される吹込み空気をクリーニングするための少なくとも１つのフィルタ（２８，４２）が設けられており、導管システム（１４）内に、循環案内される吹込み空気を所望の温度にもたらすための少なくとも１つの冷却器（３０，４４）が設けられており、導管システム（１４）が出口側で吹込み心棒（１８）の下流側に、中空体内の内圧に影響を及ぼすための圧力制御弁（４０）を有している、請求項１から３までのいずれか１項記載のブロー成形機。
【請求項５】
入口側では吹込み心棒（１６）の手前側及び出口側では吹込み心棒（１８）の下流側、若しくは流入導管の手前側及び流出導管の下流側で、ブロー成形型（１２）を放圧するため若しくはブロー成形型（１２）から品物を取り出すために、導管システム（１４）に遮断弁（３６，３８）が１つずつ設けられている、請求項１から４までのいずれか１項記載のブロー成形機。
【請求項６】
プラスチックからブロー成形された中空体を製作するための方法であって、ブロー成形機において、変形可能なプラスチックから成るチューブ状のパリソンを、ブロー成形型の開かれた割型間に押し出し、次いで閉じられたブロー成形型内で中空体を完成させるために膨張させ、中空体を膨張させ且つ冷却するために、吹込み空気を導管若しくは吹込み心棒を介して中空体に吹き込む形式のものにおいて、
中空体の膨張が行われた後で、中空体を内部冷却するために冷却媒体としての吹込み空気を連続して循環案内するために、あらゆるプロセス状態において常に同一の規定された流れ方向を保証しつつ、吹込み空気を環状回路として形成された導管システム内で圧縮器を用いて常に高められた圧力レベルで連続して循環案内し、冷却媒体を、閉じられた環状導管システムの入口側で流入導管を介してブロー成形型に吹き込み且つ出口側で流出導管を介してブロー成形型から導出し、閉じられた環状回路システム内の高められた圧力レベルを常に保持し、ブロー成形型を放圧するため若しくは品物を取り出すためだけに、入口側と出口側とを一時的に遮断することを特徴とする、ブロー成形された中空体の製作法。
【請求項７】
吹込み空気を、プラスチック中空体のサイズに関連して最高約２０ｂａｒの圧力レベルで循環案内する、請求項６記載の方法。
【請求項８】
改良された冷却作用を得るために、吹込み空気を渦流発生体を用いて回転流及び渦動下で熱交換の改善を伴って中空体に吹き込み、改良された冷却作用を得るために、吹込み空気を中空体に吹き込む前に乾燥させて、０℃〜−５０℃、殊に約−３０℃の温度へ更に低温に冷却する、請求項６又は７記載の方法。
【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
多針ステッチした一組の縫糸で形成したステッチ・パターンを素材中に持つステッチボンド布において、該素材がポリマー又は金属の非繊維状層を含み、少なくとも１組の縫糸が収縮性の糸を含み、該糸が該素材を該素材の当初の長さ及び／又は幅の９０パーセント以下の長さ及び／又は幅に収縮させ、該糸が弾性フィラメント、一部配向した合成有機ポリマーの繊維、又はテキスチャー加工糸を含むことを特徴とするステッチボンド布。
【請求項２】
前記非繊維状層がポリマーのフィルムである、請求項１記載のステッチボンド布。
【請求項３】
前記非繊維状層が金属箔である、請求項１記載のステッチボンド布。
【請求項４】
前記非繊維状層が基本的にポリマーのコーティングから成り、該コーティングが繊維状層上に支持されている、請求項１記載のステッチボンド布。
【請求項５】
前記糸が前記素材を前記素材の当初の長さ及び／又は幅の７５から５０パーセントの範囲にある長さ及び／又は幅に収縮させた、請求項１記載のステッチボンド布。
【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
ニッケルおよび
アルカリ土類金属、Ｙ、ＬａおよびＣｅから選択された少なくとも１つの他の金属および
場合によっては元素の周期律表の第５族〜第１１族から選択される少なくとも１つのドープ金属を
相応する金属塩を含有する溶液から微粒状のＴｉＯ２−担体上で共沈させ、引続き乾燥、か焼および還元および場合によっては不動態化させ、ニッケル含有触媒に変えることによって得ることができる、ＴｉＯ２−担体上にニッケルを含有する触媒。
【請求項２】
触媒中のニッケルの含量が全部の触媒に対して２０〜８０質量％である、請求項１記載の触媒。
【請求項３】
他の１つの金属または複数の金属の酸化物とＴｉＯ２−担体との質量比が（０．２〜４）：１である、請求項１または２記載の触媒。
【請求項４】
ニッケルクリスタリットの寸法が４〜２０ｎｍである、請求項１から３までのいずれか１項に記載の触媒。
【請求項５】
触媒の平均粒度（ｄ５０）が３〜８０μｍである、請求項１から４までのいずれか１項に記載の触媒。
【請求項６】
触媒が還元後に不動態化されている、請求項１から５までのいずれか１項に記載の触媒。
【請求項７】
請求項１から６までのいずれか１項に記載の触媒の製造法において、記載された処理工程を実施することを特徴とする、請求項１から６までのいずれか１項に記載の触媒の製造法。
【請求項８】
芳香族アミノ化合物を相応するニトロ芳香族化合物の水素化によって製造する方法において、水素化を請求項１から６までのいずれか１項に記載の触媒の存在で実施することを特徴とする、芳香族アミノ化合物を相応するニトロ芳香族化合物の水素化によって製造する方法。
【請求項９】
芳香族アミノ化合物をアニリン、ｏ−トルイジン、ｐ−トルイジンおよびトルイレンジアミンから選択する、請求項８記載の方法。
【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
芳香剤含有ゲルマトリックスを入れるための空洞を示す容器を含むゲル状エアフレッシュナー装置であって、該容器が空洞への空気の導入及び空洞から芳香剤の排出を可能にする開き口を有し、そして末端がゲルマトリックスに接していて、ゲルマトリックスが芳香剤の蒸発で収縮するにしたがって互いに自由に動く第一と第二の末端を有する、前記ゲル状エアフレッシュナー装置。
【請求項２】
第一と第二の区分（セグメント）を有する容器を含み、各区分が側壁、末端壁そして開放末端を含み、加えて第二の区分は側壁中に開き口を含む請求項１記載のゲル状エアフレッシュナー装置であって、１つの開放末端は、区分が芳香剤含有ゲルマトリックスを入れる空洞を示すように他方の解放末端を受け止め、そのゲルマトリックスが各末端壁に接し、区分はゲルマトリックスが芳香剤の蒸発で収縮するにしたがって互いに縦に自由に動く、前記ゲル芳香装置。  
【請求項３】
他方の区分に対する１つの区分の動きが、ゲルマトリックスが使い尽くされている目印を使用者に与える、請求項２に記載の装置。  
【請求項４】
目印が、区分の相対的な動きの結果として見えるようになったり、又は見えなくされたりする装置の印によって与えられる、請求項３に記載の装置。    
【手続補正２】
【補正対象書類名】明細書
【補正対象項目名】００１４
【補正方法】変更
【補正の内容】
【００１４】
容器は一般的に円筒形状であってもよい。従って、第一区分は開放末端の円筒形を有してもよい。第二区分も開放末端の円筒形を有してもよい。１つの区分が他方より少し大きな直径を有することができる。例えば、第一区分は第二区分より少し大きな直径であることができ、その場合第一区分の開放末端が第二区分を受け、そして第二区分は第一区分内を自由にすべる。容器は一般的に円筒形状で記載されるが、当業者は区分の自由な動きを許すならば、装置が他の幾何学的形状で構築されてもよいと理解するであろう。本装置は基本的な幾何学的な形に加えて一般的な発明概念から離れずに他の奇抜な又は美しい設計要素を含むことができる。
【手続補正３】
【補正対象書類名】明細書
【補正対象項目名】００２１
【補正方法】変更
【補正の内容】
【００２１】
ゲルマトリックスの補充操作を容易にするため、それらを装置の区分に取り付け済みで補給してもよい。従って、例えば、補充は、ゲルが第二の区分の開放末端に実質的にくっついているように第二の区分内に取り付け済みゲルマトリックスを含んでいてもよく、そしてホイルシールが使用前のゲルマトリックスを保護するために付いていてもよい。上記のように、第一の区分の末端壁は第二の区分の接近を許すように取り外しできる。  
【手続補正４】
【補正対象書類名】明細書
【補正対象項目名】００３８
【補正方法】変更
【補正の内容】
【００３８】
図７は、図１および２で示されたゲル状エアフレッシュナー装置の変形を断面で示している。特に、図７aは装置の第一の区分を示しており、末端の壁（２）が第二の区分を受け止めるちょうつがい（１８）に乗って開いている（図７bを参照)。末端の壁（２）の内側表面には、ゲルマトリックス（７）を支えるために付けられる高くした台（１５）が付いている。図７bは取り付け済みゲルマトリックス（７）を含有する第二の区分を示す。ゲルマトリックスを第二の区分の開口末端を覆う取り除きできるホイル（１７）で使用前は保護する（そしてこの図では区分から取り除かれて示されている）。図７cは、ホイル（１７）を取り除き、第一の区分の開口末端（８）を通して突き出し且つ相対する環状の縁（５、６）によって開口末端を通りすぎることが防止されるように第二の区分を第一の区分に挿入してある装置を示す。図７dは、閉じられ、そして土台として働く末端の壁（２）及び高くなった台（１５）に接するゲルマトリックス（７）のある使用できる配置に１８０度回転されて揃ったエアフレッシュナー装置を示している。図７eは、ゲルマトリックスが使い尽くされた状態の７dの装置を示している。  
【手続補正５】
【補正対象書類名】明細書
【補正対象項目名】００４２
【補正方法】変更
【補正の内容】
【００４２】
材料 重量％ 
カラゲナン                         2.5  
Crillet 4                           0.2                             
芳香剤                             6.0   
保存剤                             0.1  
水                                 91.2  
ゲルを以下の製法を用いて製造する。
水の３／４をガラスビーカー中５０℃に温める。これに、カラゲナンをはげしく撹拌しながら加える。完全に加えた後、混合物を３０分で９０℃に加温する。次いで、混合物を加熱源から取り除き、 Crillet 4を撹拌しながら加える。次いで、残りの水を加え、温度を７０℃に下げる。次いで、芳香剤と保存剤を加え、混合物を63-68℃で１０分間均一にする。次いで、処方物を直ちにゲルを成型する適当な鋳型（即ち、作られたゲルが容易に放出される入れ物）に注ぎ、そして冷やし、凝固させる。  
ゲルは円筒又は円錐状そして計られた寸法（高さ）に成型される。円筒又は円錐の両方の作品では、高さの減少が７日間で５５から６３％の範囲であることがわかった。
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
１以上のビトロネクチン受容体アンタゴニストを含むステント。
【請求項２】
ＰＴＣＡ後の再狭窄の処置のために１以上のビトロネクチン受容体アンタゴニストを含むステント。
【請求項３】
追加の膜で被覆されている、請求項１または２のステント。
【請求項４】
少なくとも１のさらなる活性成分を含む、請求項１−３のいずれかのステント。
【請求項５】
再狭窄動脈における再閉塞の処置および防止のためのビトロネクチン受容体アンタゴニスト含有ステントの使用。
【請求項６】
ステントの製造のためまたは製造におけるビトロネクチン受容体アンタゴニストの使用。
【請求項７】
ステントが１以上のビトロネクチン受容体アンタゴニストで被覆または充填されることを特徴とするステントの製造法。
【請求項８】
１以上のビトロネクチン受容体アンタゴニストを含むポリマー担体組成物がステントに形成されることを特徴とするステントの製造法。
【請求項９】
１以上のビトロネクチン受容体アンタゴニストとステントの同時使用による再狭窄動脈を有する患者の処置方法。
【請求項１０】
ビトロネクチン受容体アンタゴニストがステント中またはステント上に存在し、局所的に放出されることを特徴とする、請求項９の方法。
【請求項１１】
再狭窄の処置および防止のためのステントの製造におけるビトロネクチン受容体アンタゴニストの使用。
【請求項１２】
再狭窄の予防または治療に適する他の活性成分の局所的および/または全身的投与と併用される、請求項１−４のいずれかのステントの使用による再狭窄の予防または治療の方法。
【請求項１３】
ビトロネクチン受容体アンタゴニストの全身的投与と併用される、請求項１−４のいずれかのステントの使用による再狭窄の予防または治療の方法。
【手続補正２】
【補正対象書類名】明細書
【補正対象項目名】００１３
【補正方法】変更
【補正の内容】
【００１３】
式中、
Ｒ１は、水素、置換もしくは非置換のアルキルもしくはシクロアルキル基、置換もしくは非置換のアリール基、または飽和または不飽和の置換されていることもある複素環式基であり、
【手続補正３】
【補正対象書類名】明細書
【補正対象項目名】００１４
【補正方法】変更
【補正の内容】
【００１４】
Ｒ２は、水素、置換もしくは非置換のアルキルもしくはシクロアルキル基、置換もしくは非置換のアリール基、飽和もしくは不飽和の置換されていることもある複素環式基、置換されていることもあるアルケニル基、置換されていることもあるアルキニル基、−ＮＲ２’ＳＯ２Ｒ２”、−ＮＲ２’ＣＯＯＲ２”、−ＮＲ２’ＣＯＲ２’、−ＮＲ２’ＣＯＮＲ２’２、または−ＮＲ２’ＣＳＮＲ２’２であり、
Ｒ２’は、水素、置換もしくは非置換のアルキルもしくはシクロアルキル基、置換もしくは非置換のアリール基、または飽和もしくは不飽和の置換されていることもある複素環式基であり、
【手続補正４】
【補正対象書類名】明細書
【補正対象項目名】００１５
【補正方法】変更
【補正の内容】
【００１５】
Ｒ２”は、置換もしくは非置換のアルキルもしくはシクロアルキル基、置換もしくは非置換のアリール基、または飽和もしくは不飽和の置換されていることもある複素環式基であり、
【手続補正５】
【補正対象書類名】明細書
【補正対象項目名】００１６
【補正方法】変更
【補正の内容】
【００１６】
Ｕは、直接結合または置換もしくは非置換のアルキレン基であり、
Ｖは、置換もしくは非置換のアルキレン基、−ＮＲ２’ＣＯ−または−ＮＲ２’ＳＯ２−であり、
ＡおよびＢは、互いに独立的に各々１,３−または１,４−架橋のさらに置換されていることもあるフェニレン基であり、
Ｗは、直接結合または置換もしくは非置換のアルキレン基であり、
Ｃは、直接結合または
【化２】
2004534618.tif 000001
であり、
【手続補正６】
【補正対象書類名】明細書
【補正対象項目名】００１７
【補正方法】変更
【補正の内容】
【００１７】
Ｒ３は、水素、置換もしくは非置換のアルキルもしくはシクロアルキル基、置換もしくは非置換のアリール基、飽和もしくは不飽和の置換されていることもある複素環式基、アルキルアミン残基、アルキルアミド残基であり、またはＲ４、Ｙ、Ｒ５もしくはＲ６（存在するならば）のひとつと結合し、Ｒ３の結合する窒素原子を含み、飽和もしくは不飽和であり得ておよび/またはさらなるヘテロ原子を含む置換されていることもある複素環式システムを形成し、
【手続補正７】
【補正対象書類名】明細書
【補正対象項目名】００１８
【補正方法】変更
【補正の内容】
【００１８】
Ｒ４は、水素、置換もしくは非置換のアルキルもしくはシクロアルキル基、置換もしくは非置換のアリール基、飽和もしくは不飽和の置換されていることもある複素環式基、アルキルアミン残基、アルキルアミド残基であり、またはＲ３、Ｙ、Ｒ５もしくはＲ６（存在するならば）のひとつと結合し、Ｒ４の結合する窒素原子を含み、飽和もしくは不飽和であり得ておよび/またはさらなるヘテロ原子を含む置換されていることもある複素環式システムを形成し、
【手続補正８】
【補正対象書類名】明細書
【補正対象項目名】００１９
【補正方法】変更
【補正の内容】
【００１９】
Ｘは、ＣＨＮＯ２、ＣＨＣＮ、Ｏ、ＮまたはＳであり、
Ｙは、直接結合または置換されていることもあるアルキレンもしくはアルキン基であり、
【手続補正９】
【補正対象書類名】明細書
【補正対象項目名】００２０
【補正方法】変更
【補正の内容】
【００２０】
Ｒ５は、不存在、水素、置換もしくは非置換のアルキルもしくはシクロアルキル基、−ＮＯ２、−ＣＮ、−ＣＯＲ５’、−ＣＯＯＲ５’であり、またはＲ３、Ｙ、Ｒ４もしくはＲ６（存在するならば）のひとつと結合し、Ｘを含み、飽和もしくは不飽和であり得ておよび/またはさらなるヘテロ原子を含む置換されていることもある炭素環式もしくは複素環式システムを形成し、
【手続補正１０】
【補正対象書類名】明細書
【補正対象項目名】００２１
【補正方法】変更
【補正の内容】
【００２１】
Ｒ５’は、水素、置換もしくは非置換のアルキルもしくはシクロアルキル基、置換もしくは非置換のアリール基または飽和もしくは不飽和であり得ておよび/またはさらなるヘテロ原子を含み得る飽和もしくは不飽和の置換されていることもある複素環式基であり、
【手続補正１１】
【補正対象書類名】明細書
【補正対象項目名】００２２
【補正方法】変更
【補正の内容】
【００２２】
Ｒ６は、水素、置換もしくは非置換のアルキルもしくはシクロアルキル基、置換もしくは非置換のアリール基、飽和もしくは不飽和の置換されていることもある複素環式基、アルキルアミン残基、アルキルアミド残基であり、またはＲ３、Ｙ、Ｒ４もしくはＲ５（存在するならば）のひとつと結合し、Ｒ６の結合する窒素原子を含み、飽和もしくは不飽和であり得ておよび/またはさらなるヘテロ原子を含む置換されていることもある複素環式システムを形成する。